(57)【要約】【課題】特殊磁石や特殊な解錠キーを必要とするためセキュリティ効果が高く、かつ収納ケース内に盗難防止具を設けるため、破壊されることなく使用できる盗難防止機能付ケース及び解錠キーを提供する。【解決手段】ＣＤやＤＶＤ等の光学式記録媒体等を収納した収納ケース内に、着脱自在な盗難防止具を設けてなるもので、収納ケース内の下部に出し入れ自在なケース本体の少なくとも上面に孔を設けると共に、背面に板バネを取り付ける板バネ取付部を設けてなるロック部ケース本体のケース本体内に、水平方向にスライドする平板に、上記板バネを内側に移動させるための突片を、先端部に磁石により引っ張られる吸着部を、それぞれ設けてなるスライド板を設け、上記収納ケースの下部に、上記板バネの先端部を係止する係止孔を設けてなることを特徴とする。【選択図】　図１
2004123225.tif 000002
【特許請求の範囲】
【請求項１】
ＣＤやＤＶＤ等の光学式記録媒体等を収納した収納ケース内に、着脱自在な盗難防止具を設けてなるもので、収納ケース内の下部に出し入れ自在なケース本体の少なくとも上面に孔を設けると共に、背面に板バネを取り付ける板バネ取付部を設けてなるロック部ケース本体のケース本体内に、水平方向にスライドする平板に、上記板バネを内側に移動させるための突片を、先端部に磁石により引っ張られる吸着部を、それぞれ設けてなるスライド板を設け、上記収納ケースの下部に、上記板バネの先端部を係止する係止孔を設けてなることを特徴とする盗難防止機能付ケース。
【請求項２】
水平方向にスライドする平板の後端部に圧縮スプリングを受ける受部を、中央部付近の少なくとも上部に、上記板バネを内側に移動させるための突片を設けてなることを特徴とする請求項１記載の盗難防止機能付ケース。
【請求項３】
ロック部ケース本体に、共振タグ等を取り付ける共振タグ取付部を設けたことを特徴とする請求項１又は２記載の盗難防止機能付ケース。
【請求項４】
ケース本体に、解錠キーのピンを挿入する挿入部を少なくとも一箇所設けると共に、スライド板に上記挿入部に係止する係止片を設けてなることを特徴とする請求項１、２又は３記載の盗難防止機能付ケース。
【請求項５】
挿入部に挿入するピンと、吸着部を引き寄せるための磁石を設けてなることを特徴とする解錠キー。
【請求項６】
ピンの先端部に極細の押ピンを設けてなることを特徴とする請求項５記載の解錠キー。
【請求項７】
挿入部にピンを挿入し、係止片を移動させた後、磁石にて吸着部を引き寄せ解錠することを特徴とする請求項５又は６記載の解錠キー。
【発明の詳細な説明】
【０００１】
【発明の属する技術分野】
本発明は、主にＣＤやＤＶＤ等の光学式記録媒体等を収納する収納ケース内に、着脱自在な盗難防止具を設けてなるもので、盗難防止具を解錠しにくく、セキュリティ効果の高い盗難防止機能付ケース及び解錠キーに関するものである。
【０００２】
【従来の技術】
従来の技術としては、特開２００１−７２１７１に記載されているような、着脱自在に嵌合される内ケースと外ケースを備えた商品展示ケースにおいて、外ケースから内ケースの内嵌壁を施錠する装置であり、内ケースの内嵌壁に形成したロック孔と、外ケースに設けられ前記ロック孔を貫通する方向のＸ軸方向に進退自在な主ロック片と、外ケースに設けられ前記Ｘ軸に交差するＹ軸方向に進退自在な補助ロック片とを設け、前記主ロック片は、Ｘ軸方向からロック孔に進入する施錠突起と、該施錠突起を常時進入方向に付勢する弾発手段と、外ケースの外側でＸ軸上に磁石を配置したとき前記弾発手段に抗して施錠突起をロック孔から後退せしめる磁着手段とを備え、前記補助ロック片は、Ｙ軸方向に進出して主ロック片の被係止部に係止することにより施錠突起の後退を阻止する係止手段と、外ケースの外側でＹ軸上に磁石を配置したとき前記係止手段を被係止部から後退せしめる磁着手段とを備えて成ることを特徴とする商品展示ケースの施錠装置が開示されている。
また、特開２００１−２５３４８７に記載されているような、ＣＤ等の光学式記録媒体等を収納する収納ケースを出し入れ可能な開口部が表面又は裏面に形成され、かつ、該収納ケースの外周面を覆う外周縁を備えたケース本体と、このケース本体に前記開口部を通して該ケース本体からの前記収納ケースの取り出しを阻止するためのロック機構を備えさせ、前記ロック機構が、前記ケース本体の外周縁の特定範囲に渡って設けられ、かつ、該特定範囲の一端側に被係止部を備えた収容部と、この収容部の他端側から一端側に移動して前記被係止部に係止する係止部を備えたスライダーとからなり、前記被係止部と係止部の係止状態において前記スライダーの進入方向後端側に形成の開口を通して入り込ませることにより該係止部を該被係止部から離間する側に操作して該係止状態を解除するための操作具を設けてなる盗難防止ケースが開示されている。
【０００３】
しかしながら、上記前者においては外ケースにロック機構部を設けているため、手でロック機構部を折り曲げ破壊できるため、セキュリティ効果は低い。
また、上記後者の場合、操作具が簡単な構造のため線材の先端を曲げたものを挿入すれば簡単にスライダーを取り外すことができ、これまた、セキュリティ効果が低いものである。
【０００４】
【発明が解決しようとする課題】
本発明は、上記の問題点に鑑みなされたもので、特殊磁石や特殊な解錠キーを必要とするためセキュリティ効果が高く、かつ収納ケース内に盗難防止具を設けるため、破壊されることなく使用できる盗難防止機能付ケース及び解錠キーを提供することを目的とする。
【０００５】
【課題を解決するための手段】
課題を解決するための手段として、ＣＤやＤＶＤ等の光学式記録媒体等を収納した収納ケース内に、着脱自在な盗難防止具を設けてなるもので、収納ケース内の下部に出し入れ自在なケース本体の少なくとも上面に孔を設けると共に、背面に板バネを取り付ける板バネ取付部を設けてなるロック部ケース本体のケース本体内に、水平方向にスライドする平板に、上記板バネを内側に移動させるための突片を、先端部に磁石により引っ張られる吸着部を、それぞれ設けてなるスライド板を設け、上記収納ケースの下部に、上記板バネの先端部を係止する係止孔を設けてなること。また、水平方向にスライドする平板の後端部に圧縮スプリングを受ける受部を、中央部付近の少なくとも上部に、上記板バネを内側に移動させるための突片を設けてなること。さらに、ロック部ケース本体に、共振タグ等を取り付ける共振タグ取付部を設けたこと。ケース本体に、解錠キーのピンを挿入する挿入部を少なくとも一箇所設けると共に、スライド板に上記挿入部に係止する係止片を設けてなること。さらにまた、挿入部に挿入するピンと、吸着部を引き寄せるための磁石を設けてなること。ピンの先端部に極細の押ピンを設けてなること。その上、挿入部にピンを挿入し、係止片を移動させた後、磁石にて吸着部を引き寄せ解錠することを特徴とする。
【０００６】
【発明の実施の形態】
盗難防止機能付ケース１は、ＣＤやＤＶＤ等の光学式記録媒体等を収納する収納ケース２内に、着脱自在な盗難防止具５を設けてなるものである。
上記収納ケース２は、下部に空間部２ａを、上部にＣＤやＤＶＤ等を収納する収納部２ｂを設けると共に、下端部を開閉自在な凸段差部２ｃを形設してあり、空間部２ａの上板２ａ１と下板２ａ２に板バネの先端部を係止する係止孔２ａ１１・２ａ２１を設けてなる。
上記盗難防止具５は、上記収納ケース２の下部の空間部２ａ内に設けてなるもので、空間部２ａに出し入れ自在な箱形のケース本体３ａの上面及び下面に孔３ａ１、３ａ２を設けると共に、背面に板バネ３ｄを取り付けるための板バネ取付部３ｂを設けてなり、先端部に案内板３ｃを突設してなるロック部ケース本体３と、ロック部ケース本体３内に設ける、水平方向にスライドする平板４ａ１の後端部に圧縮スプリング４ａを受ける受部４ｂを、該受部４ｂの側方に上記板バネ取付部３ｂを突出させる切欠孔４ｂ１を、中央部付近の上部及び下部に、上記板バネ３ｄを内側に移動させるための突片４ｃ・４ｃを、先端部に磁石により引っ張られる鉄による吸着部４ｄを、それぞれ設けてなるスライド板４と、上記ロック部ケース本体３の上面に突設した共振タグ（図示せず）等を取り付ける平板による取付部５ａを設けてなる構成であり、ケース本体３ａの下端部を上記凸段差部２ｃに対応すべく凹段差部３ｅを設けてある。
【０００７】
上記盗難防止機能付ケース１について、下記に使用例を説明する。
お客様が購入された商品（盗難防止機能付ケース１）をレジにて、特殊磁石Ｇ（一般に市販されていない、例えば１５０００ガウス以上のもの）を、収納ケース２の空間部２ａの右側に位置させることにより、吸着部４ｄが特殊磁石Ｇに引っ張られ、スライド板４が右側に移動し、圧縮スプリング４ａが受部４ｂにて圧縮されると同時に突片４ｃ・４ｃが板バネ３ｄを内側に移動させることにより、板バネ３ｄの先端部が係止孔２ａ１１・２ａ２１より外れ、盗難防止具５を収納ケース２より取り外すことができ、この状態でお客様にお渡しするものである。なお、取り外した後は圧縮スプリング４ａは元に戻り、板バネ３ｄの先端部が孔３ａ１・３ａ２より突出してなる。
【０００８】
つぎに、他の実施例を説明する。
盗難防止機能付ケース２１は、盗難防止具２５のケース本体２３ａの下面前方に、後述する解錠キーのピン及びガイドピンを挿入するピン挿入部２３ｅ及び支持軸挿入部２３ｆを突設すると共に、スライド板２４の先端部に上記挿入部２３ｅの上部を係止する係止片２３ｇを設けてなるものである。
【０００９】
上記盗難防止機能付ケース２１の盗難防止具２５を取り外す解錠キーとして、解錠キー６は、コの字形の溝６ａ１を形成してなるキー本体６ａの底面に、上記ピン挿入部２３ｅに挿入する先端部に極細の押ピン６ｂ１を突出してなるピン６ｂと、上記支持軸挿入部２３ｆに挿入するガイドピン６ｃを突設すると共に、側面に前記と同様な特殊磁石Ｇ１を設けてなるものである。
【００１０】
上記解錠キー６の使用例について下記に述べる。
まず、盗難防止機能付ケース２１の盗難防止具２５のピン挿入部２３ｅ及び支持軸挿入部２３ｆに解錠キー６のピン６ｂ及びガイドピン６ｃを挿入し、押し込むことにより、ピン６ｂの押ピン６ｂ１にて係止片２３ｇを押し上げ、ロックを解除し、特殊磁石Ｇ１にて、前記と同様盗難防止具２５を取り外すことができるものである。
【００１１】
なお、上記各実施例において、板バネの形状はＶ字形に限定せず、同様な機能・効果があれば他の形状でもよく、吸着部も鉄の他に磁石でもよい。
また、解錠キーにおいて各挿入部の形状や本数は必要に応じて設定すればよい。
さらに、共振タグにおいても、一般に市販されているものを使用すればよい。さらにまた、受部及び圧縮スプリングを設けず、板バネのバネ力にて元の位置に戻る形態も一考である。
【００１２】
【発明の効果】
１）、圧縮スプリングを圧縮する位の磁力を有する特殊磁石を使用し、板バネを制御するもので、従来の技術と比較（磁石タイプ）し、セキュリティ効果が高い。
２）、収納ケース内に盗難防止具を設けることにより、外的力によりロック機構を破壊することはできない。
３）、ケース本体の挿入部とスライド板に設けた係止片により、磁石のみでは盗難防止具を取り外すことができず、よりセキュリティ効果が高い。
４）、解錠キーにより、係止片を押し上げると同時に特殊磁石にて盗難防止具を取り外すことができ、作業者のみ容易に解錠できる。
【図面の簡単な説明】
【図１】本発明の第１実施例を示す盗難防止機能付ケースの一部縦断正面図。
【図２】本発明の第１実施例を示す盗難防止機能付ケースの収納ケースの縦断側面図。
【図３】本発明の第１実施例を示す盗難防止機能付ケースの盗難防止具の縦断側面図。
【図４】本発明の第１実施例を示す盗難防止機能付ケースのロック部ケース本体の斜視図。
【図５】本発明の第１実施例を示す盗難防止機能付ケースのスライド板の斜視図。
【図６】本発明の第１実施例を示す盗難防止機能付ケースの盗難防止具の斜視図。
【図７】本発明の第１実施例を示す盗難防止機能付ケースの解錠状態の一部縦断正面図。
【図８】本発明の第２実施例を示す盗難防止機能付ケースの一部縦断正面図。
【図９】本発明の第２実施例を示す盗難防止機能付ケースの一部と解錠キーの斜視図。
【図１０】本発明の第２実施例を示す盗難防止機能付ケースの解錠状態の一部縦断正面図。
【符号の説明】
１−−−盗難防止機能付ケース
２−−−収納ケース
３−−−ロック部ケース本体
４−−−スライド板
５−−−盗難防止具
６−−−解錠キー
【図１】
2004123225.tif 000003
【図２】
2004123225.tif 000004
【図３】
2004123225.tif 000005
【図４】
2004123225.tif 000006
【図５】
2004123225.tif 000007
【図６】
2004123225.tif 000008
【図７】
2004123225.tif 000009
【図８】
2004123225.tif 000010
【図９】
2004123225.tif 000011
【図１０】
2004123225.tif 000012